(57)【特許請求の範囲】
【請求項１】
遊技盤に固定され、その遊技盤の盤面上に形成された遊技領域から遊技球を受け入れるための入賞口を備える遊技機用可変入賞装置において、
前記入賞口の下縁側で左右方向に延びる前記遊技盤に平行な回動軸線周りで回動可能に配置され、前記遊技盤に沿って起立することにより前記入賞口を閉鎖する閉鎖位置と、その閉鎖位置から前方側に倒伏して前記入賞口を開放する開放位置とに変位する入賞扉と、
前後方向で直線的に変位するプランジャを有し、そのプランジャを前方側の突出位置と後方側の後退位置とでそれぞれ保持することにより、前記入賞扉を前記回動軸線周りで回動して前記閉鎖位置と開放位置とに変位させるソレノイドと、
前記プランジャに連結され、該プランジャとともに前後方向で直線的に変位するスライド部材と、前記入賞扉の回動軸線よりも後方においてその回動軸線と平行な揺動軸線周りで揺動可能に配置され、前記スライド部材に連係してそのスライド部材の直線的な変位を回転変位に変換するとともに、前記入賞扉に連係してその回転変位を該入賞扉に伝動する揺動部材とを有する伝動機構と、
前記ソレノイドや伝動機構を収容するケースと、を含み、
前記揺動部材は、前記揺動軸線に沿って両側に突出する揺動軸が設けられ、この揺動軸が前記ケースの軸支部に固定されており、
前記スライド部材は、前記揺動軸線の平行方向に貫通して前後方向に沿って延びる長孔に前記揺動軸が挿入されてその揺動軸にガイドされることにより、前記プランジャと一体的に前後方向で直線的に変位し、
前記伝動機構は、前記スライド部材と揺動部材とが、該スライド部材に形成される前記揺動軸線に平行状に突出する突起が該揺動部材に形成される案内部に挿入されて連係し、且つ、これら突起と案内部とが前記揺動部材の揺動軸線よりも上方で連係されており、前記入賞扉が前記閉鎖位置の状態において、該入賞扉を前記閉鎖位置から開放位置へ強制的に回動させるための外力が加えられて該入賞扉が回動するのに伴って前記揺動部材が揺動したとき、前記突起に前記案内部に形成されたロック面が上側から当接して前記入賞扉が開放位置に達しないように前記揺動部材の揺動を阻止するロック機構を備えていることを特徴とする遊技機用可変入賞装置。
【請求項２】
請求項１に記載の遊技機用可変入賞装置を備えたことを特徴とする遊技機。
【発明の詳細な説明】
【技術分野】
【０００１】
本発明は、遊技機用可変入賞装置及びそれを備えた遊技機に関する。
【背景技術】
【０００２】
従来、パチンコ遊技機、アレンジボール遊技機などの弾球遊技機を含む種々の遊技機に設けられる遊技機用可変入賞装置として、入賞口に対応して配置される回動翼片や入賞扉等の可動部材をソレノイド等の電気駆動源により、入賞口に遊技球が相対的に入り難い閉鎖位置と、遊技球が相対的に入り易い開放位置との間で移動したりするものがある。通常、このような可動部材は、ソレノイドが励磁されていないときには、コイルばねの弾発力や可動部材自身の自重によって閉鎖位置で保持されるように形成されているが、その可動部材を閉鎖位置から開放位置に向かって移動させようとする外力が加わると、簡単に可動部材は開放位置に向かって移動してしまい、そこから不正に賞球を獲得される恐れがある。そこで、近年において、可動部材に入賞口を開放しようとする外力が加わっても、簡単に可動部材が開放しないように、ロック機構が搭載された種々の遊技機用可変入賞装置が提案されている（例えば、特許文献１参照）。
【０００３】
【特許文献１】特開２００１−３２７６８７号公報
【０００４】
特許文献１の遊技機用可変入賞装置では、不正行為を未然に防止し得るために、水平な回転軸で開閉自在に支持される入賞案内部材（入賞扉）と、ソレノイドの作動によって回転軸と平行な支軸（揺動軸）で反復回転動するように支持される制動片（揺動部材）とにおいて、入賞扉の裏側に形成された係合片と制動片との位置関係により、制動片が係合片に当接して入賞案内部材を閉状態に保持することができるようにしたものである。
【発明の開示】
【発明が解決しようとする課題】
【０００５】
しかしながら、仮に入賞案内部材（入賞扉）を開けようと制動片（揺動部材）に直接外力が加えられた場合には、このようなロック機構は機能せずに制動片が支軸で回転して入賞案内部材を開放してしまうこととなり、不正に賞球を獲得される危険性が残っている。
【０００６】
本発明の課題は、上記実情に鑑みてなされたものであり、不正行為により入賞扉に外力が加えられた場合にも、簡単な構成でありながら入賞扉の閉鎖位置から開放位置への移動を抑制することができ、不当な賞球を獲得されない遊技機用可変入賞装置及びそれを用いた遊技機を提供することである。
【課題を解決するための手段】
【０００７】
上記課題を解決するために、本発明の遊技機用可変入賞装置は、
遊技盤に固定され、その遊技盤の盤面上に形成された遊技領域から遊技球を受け入れるための入賞口を備える遊技機用可変入賞装置において、
入賞口の下縁側で左右方向に延びる遊技盤に平行な回動軸線周りで回動可能に配置され、遊技盤に沿って起立することにより入賞口を閉鎖する閉鎖位置と、その閉鎖位置から前方側に倒伏して入賞口を開放する開放位置とに変位する入賞扉と、
前後方向で直線的に変位するプランジャを有し、そのプランジャを前方側の突出位置と後方側の後退位置とでそれぞれ保持することにより、入賞扉を回動軸線周りで回動して閉鎖位置と開放位置とに変位させるソレノイドと、
プランジャに連結され、該プランジャとともに前後方向で直線的に変位するスライド部材と、入賞扉の回動軸線よりも後方においてその回動軸線と平行な揺動軸線周りで揺動可能に配置され、スライド部材に連係してそのスライド部材の直線的な変位を回転変位に変換するとともに、入賞扉に連係してその回転変位を該入賞扉に伝動する揺動部材とを有する伝動機構と、
ソレノイドや伝動機構を収容するケースと、を含み、
揺動部材は、揺動軸線に沿って両側に突出する揺動軸が設けられ、この揺動軸がケースの軸支部に固定されており、
スライド部材は、揺動軸線の平行方向に貫通して前後方向に沿って延びる長孔に揺動軸が挿入されてその揺動軸にガイドされることにより、プランジャと一体的に前後方向で直線的に変位し、
伝動機構は、スライド部材と揺動部材とが、該スライド部材に形成される揺動軸線に平行状に突出する突起が該揺動部材に形成される案内部に挿入されて連係し、且つ、これら突起と案内部とが揺動部材の揺動軸線よりも上方で連係されており、入賞扉が閉鎖位置の状態において、該入賞扉を閉鎖位置から開放位置へ強制的に回動させるための外力が加えられて該入賞扉が回動するのに伴って揺動部材が揺動したとき、突起に案内部に形成されたロック面が上側から当接して入賞扉が開放位置に達しないように揺動部材の揺動を阻止するロック機構を備えていることを特徴とする。
【０００８】
上記本発明によれば、ソレノイドのプランジャが直線的に変位することにより、入賞扉が起立又は倒伏して入賞口を閉鎖又は開放する。また、これら入賞扉とソレノイドとの間には、プランジャに連結されるスライド部材と、そのスライド部材及び入賞扉に連係される揺動部材とを含む伝動機構が形成されている。そして、このスライド部材と揺動部材とが連係する突起と案内部とにおいて、入賞扉を閉鎖位置から開放位置へ強制的に回動させるための外力が加えられたときに突起が当接して揺動部材の揺動を阻止するロック面が案内部に形成されている。したがって、不正行為により入賞扉に外力が加えられた場合に、簡単な構成でありながら入賞扉の閉鎖位置から開放位置への移動を阻止及び抑制することができ、不当な賞球を獲得されるのを防止することができる。
【０００９】
そして、突起と案内部とが、スライド部材の直線変位を揺動部材の回転変位に変換する伝動機構と、揺動部材（入賞扉）の揺動（回動）を阻止するロック機構とを兼ね備えているので、伝動機構を大型化することなく、コンパクトに形成することができる。
【００１０】
さらに、ロック機構がスライド部材と揺動部材との間に形成されているので、不正に入賞扉を開放しようと、仮に揺動部材に直接外力が加えられた場合にも、揺動部材の揺動を阻止することができ、入賞扉（入賞口）が不正行為によって開放されるのを阻止して、不正に賞球を獲得されることを防止できる。
【００１１】
なお、本発明における案内部とは、突起を挿入できる形状であれば特に限定されず、揺動部材の周縁に局部的に形成する凹み形状（切欠形状）や、内部に形成される揺動軸線に沿って貫通又は有底の孔形状（穴形状）などが含まれる。
【００１２】
また、遊技機用可変入賞装置の具体的な態様の第１として、
スライド部材に突起が形成され、揺動部材に案内部が形成され、これら突起と案内部とが揺動部材の揺動軸線よりも上方で連係されており、
ロック機構は、揺動部材の揺動を阻止するとき（入賞扉の回動を阻止するとき）、突起にロック面が上側から当接する構成とすることができる。
【００１３】
これによれば、突起が揺動軸線に対して上方に位置してロック面が上側から当接するので、突起がストッパーとなり、ロック面が前後方向に交差する方向（上下方向）に移動できず、効果的に揺動部材の揺動を阻止することができる。ひいては、入賞扉の回動を阻止することができる。そして、揺動部材において、ロック面が上側から当接するときに突起が揺動軸線よりも後方に位置する場合には、ロック機構（スライド部材との連係部分）が入賞扉との連係部分と揺動軸線を挟んで反対側に位置するので、揺動軸線が支点となり安定して揺動部材の揺動を規制することができる。
【００１４】
また、遊技機用可変入賞装置の具体的な態様の第２として、
スライド部材に案内部が形成され、揺動部材に突起が形成され、これら突起と案内部とが揺動部材の揺動軸線よりも上方で連係されており、
揺動部材の揺動を阻止するとき、突起が揺動軸線よりも前方に位置してその突起がロック面に下側から当接する構成とすることができる。
【００１５】
これによれば、スライド部材側の案内部に形成されたロック面に揺動部材側の突起が下側から当接するので、ロック面がストッパーとなり、突起が前後方向に交差する方向（上下方向）に移動できず、効果的に揺動部材の揺動を阻止することができ、ひいては入賞扉の不正行為による開放を防止することができる。
【００１６】
また、上記課題を解決するために、本発明の遊技機は、以上のような遊技機用可変入賞装置を備えたことを特徴とする。
【００１７】
上記本発明によれば、不正行為により遊技機用可変入賞装置の入賞扉に外力が加えられた場合にも、簡単な構成でありながら入賞扉の閉鎖位置から開放位置への移動を阻止及び抑制することができ、不当な賞球を獲得されない遊技機を実現することができる。
【発明の効果】
【００１８】
上記本発明によれば、不正行為により遊技機用可変入賞装置の入賞扉に外力が加えられた場合にも、簡単な構成でありながら入賞扉の閉鎖位置から開放位置への移動を阻止及び抑制することができ、不当な賞球を獲得される問題を解消できる。
【発明を実施するための最良の形態】
【００１９】
以下、本発明の実施形態について図面を用いて詳細に説明する。図１は本発明の実施形態に係る遊技機の正面図、図２は本発明の実施形態に係る遊技機用可変入賞装置の分解斜視図、図３は閉鎖状態における図２の遊技機用可変入賞装置の主要部を示す斜視図、図４は図３の両側面図及び要部拡大図、図５は図４に対応する開放状態の両側面図及び要部拡大図、図６は図４（ｃ）に対応する作動状態を説明する要部拡大図である。
【００２０】
図１に示すように、遊技機１（以下、パチンコ機１ともいう）には、遊技盤２が設けられている。この遊技盤２の盤面２ａ（前面）には、円形の遊技領域２ｂが形成されており、この遊技領域２ｂは上側領域を除く外周縁に沿って円弧状のガイドレール２ｃが配置されている。そして、遊技領域２ｂの中央には、液晶表示部３が搭載され、その液晶表示部３の下方（遊技領域２ｂの中央下部）に遊技機用可変入賞装置４（以下、入賞装置４ともいう）が配置されている。また、液晶表示部３と入賞装置４との間には、始動入賞口を有して一対の回動翼片５ａによって形成される電動チューリップ（電チュー）５が配置されている。
【００２１】
なお、本明細書において、パチンコ機１における上下方向とは遊技盤２の盤面２ａに沿う態様で遊技球が流下する方向（鉛直方向）を意味する。また、左右方向とは遊技盤２の盤面２ａに沿う態様で上下方向に直交する方向（水平方向）を意味する。また、前後方向とは遊技盤２の盤面２ａに直交する方向（水平方向）を意味し、盤面２ａの遊技者側が前側であり、盤面２ａの奥側が後側である。
【００２２】
図１及び図２に示すように、この入賞装置４は、遊技盤２に固定され、その遊技盤２の盤面２ａ上に形成された遊技領域２ｂから遊技球を受け入れるための入賞口１１を備えている。具体的には、入賞装置４は、遊技盤２に固定するための台板１０を含んで構成され、この台板１０に、厚さ方向（前後方向）に貫通形成されるとともに、左右方向を長手方向とする矩形状の入賞口１１（大入賞口）が形成されている。したがって、図示しない発射装置からガイドレール２ｃに沿って打ち出された遊技球は、遊技盤２の盤面２ａ上に形成された遊技領域２ｂから入賞口１１を通過して後方側に誘導され入賞となる。
【００２３】
また、入賞装置４は、入賞口１１に対応して台板１０に取り付けられる入賞扉１２と、前後方向で直線的に変位するプランジャ２１（図３参照）を有するソレノイド２０と、入賞扉１２とソレノイド２０との間に配置されプランジャ２１の駆動力を入賞扉１２に伝動する伝動機構３０とを備えている。また、入賞装置４は、入賞した遊技球を検出する検出スイッチ３１や、発光素子３２ａを実装する発光基板３２、それら検出スイッチ３１や発光基板３２等の配線を接続する中継基板３３などを備え、ソレノイド２０や伝動機構３０とともにハウジングとしての上ケース３４及び下ケース３５に収容され、台板１０の後方側に配置される。
【００２４】
なお、上ケース３４及び下ケース３５には、台板１０とともに入賞扉１２の回動軸１３（回動ピン）を軸支する軸支部３４ａ，３５ａや、伝動機構３０の後述する揺動部材５０の揺動軸５１を軸支する軸支部３４ｂ，３５ｂが形成されており、下ケース３５には、入賞した遊技球を検出スイッチ３１へ誘導するステージ部３５ｃなどが形成されている。
【００２５】
入賞扉１２は、図２ないし図４に示すように、正面視において左右方向が長手方向となる矩形状の板状形態をなし（図１参照）、入賞口１１に嵌め込まれるように、その入賞口１１の下縁１１ｕ側で左右方向に延びる遊技盤２に平行な回動軸線Ｏ１周りで回動可能に配置されている。そして、遊技盤２に沿って起立することにより入賞口１１を閉鎖する閉鎖位置（図３，４参照）と、その閉鎖位置から前方側に倒伏して入賞口１１を開放する開放位置（図２，５参照）とに回動変位する。
【００２６】
具体的には、入賞扉１２は、両側部下端に回動軸線Ｏ１に沿って突出する回動軸１３，１３が設けられており、この回動軸１３，１３が台板１０や上ケース３４及び下ケース３５の軸支部３４ａ，３５ａによって回転可能に固定されている。なお、回動軸１３，１３の代わりに軸孔を形成して台板１０などの固定部材側から軸支する形態としてもよい。また、入賞扉１２は、両側部で後方に延出される延出部１４，１４が形成され、その中、遊技者側から見て左側の延出部１４には、外側に突出形成（例えば、回動軸線Ｏ１に平行状）にされる凸部１５が設けられている。
【００２７】
次に、ソレノイド２０は、前端部にフランジ部２１ａを形成するプランジャ２１と、電流を通電させることにより電磁力でプランジャ２１を変位させるコイル２２と、フランジ部２１ａなどを介してプランジャ２１を突出位置側に付勢するコイルばね２３とを備えている。そして、ソレノイド２０は、そのプランジャ２１を前方側の突出位置と後方側の後退位置とでそれぞれ保持することにより、入賞扉１２を回動軸線Ｏ１周りで回動して閉鎖位置と開放位置とに変位させることとなる。
【００２８】
続いて、伝動機構３０は、プランジャ２１に連結され、プランジャ２１とともに前後方向で直線的に変位するスライド部材４０と、入賞扉１２の回動軸線Ｏ１よりも後方においてその回動軸線Ｏ１と平行な揺動軸線Ｏ２周りで揺動可能に配置される揺動部材５０とを含み構成されている。そして、揺動部材５０は、スライド部材４０に連係してそのスライド部材４０の直線的な変位を回転変位に変換するとともに、入賞扉１２（具体的には、延出部１４の凸部１５）に連係してその回転変位を入賞扉１２に伝動する。
【００２９】
スライド部材４０は、プランジャ２１のフランジ部２１ａが連結部４１に嵌め込まれ、揺動軸線Ｏ２に平行方向に貫通して前後方向に沿って延びる長孔４２に揺動軸５１が挿入されてその揺動軸５１にガイドされることにより、プランジャ２１と一体的に前後方向で直線的に変位する。また、スライド部材４０には、揺動軸線Ｏ２に平行状に突出する突起４３が形成されており、この突起４３が揺動部材５０と連係される。
【００３０】
揺動部材５０は、揺動軸線Ｏ２に沿って両側に突出する揺動軸５１，５１が設けられており、この揺動軸５１，５１が上ケース３４及び下ケース３５の軸支部３４ｂ，３５ｂに固定されるとともに、入賞扉１２に形成される凸部１５と係合（連係）する切欠状の作用凹部５２と、スライド部材４０の突起４３と係合（連係）する切欠状の案内部５３（以下、案内溝５３ともいう）とが形成されている。ここで、作用凹部５２は、図４（ｃ）に示すように、凸部１５を上方から押圧（当接）して入賞扉１２を保持する保持部（面）５２ａと、凸部１５を下方から蹴り上げて（当接して）入賞扉１２が倒伏するのを助成する補助部（面）５２ｂとを含み構成されている。
【００３１】
また、案内溝５３は、図４（ｃ）に示すように、鉤状やＬ字形状（アンダーカット状）に切り欠き形成されている。また、案内溝５３は、前後方向に対向する面において、後方側に位置し、スライド部材４０が後退するのに伴い突起４３が当接して揺動部材５０を後方に押し上げるガイド面５３ａ（以下、後側ガイド面５３ａという）と、前方側に位置し、スライド部材４０が突出（前進）するのに伴い突起４３が当接して揺動部材５０を前方に押し下げるガイド面５３ｂ（以下、前側ガイド面５３ｂという）とを含み構成されている。また、前側ガイド面５３ｂは、案内溝５３の奥側に突起４３の一部を収容可能な窪みを形成しており、その窪みの上側がロック面５４として構成されている。
【００３２】
したがって、本実施形態において、伝動機構３０は、入賞扉１２が閉鎖位置の状態において、入賞扉１２を閉鎖位置から開放位置へ強制的に回動させるための外力が加えられて入賞扉１２が回動するのに伴って揺動部材５０が揺動したとき、突起４３と案内溝５３に形成されたロック面５４とが当接して入賞扉１２が開放位置に達しないように揺動部材５０の揺動を阻止するロック機構を備えている。
【００３３】
ここで、スライド部材４０と揺動部材５０との相互関係は、突起４３と案内溝５３とが揺動部材５０の揺動軸線Ｏ２よりも上方で連係され、入賞扉１２が閉鎖位置のときに、突起４３が揺動軸線Ｏ２（揺動軸５１）の上方（真上）に位置するように配置されている。そして、不正行為により入賞扉１２が回動させられると、突起４３が揺動軸線Ｏ２よりも後方にわずかに移動（位置）して、その突起４３にロック面５４が上側から当接することで揺動部材５０の揺動を阻止するロック機構として構成することができる。
【００３４】
次に、図４ないし図６を用いて、以上のような構成を有する入賞装置４の作動を説明する。まず、このような入賞装置４は、遊技盤２上での作動として、電動チューリップ５へ遊技球が入賞すると当否抽選が実行され、その抽選結果が大当たりであると、液晶表示部３に大当たり図柄（例えば、「７，７，７」のゾロ目）が表示される。さらに、入賞装置４のソレノイド２０が通電（励磁）されて、入賞扉１２が回動軸線Ｏ１周りに回動して開放位置へ変位する。そして、入賞口１１への所定個数（例えば１０個）の入賞を検出スイッチ３１が検出したとき、又は所定時間（例えば、３０秒）が経過したときに入賞装置４のソレノイド２０の通電が解除（消磁）されて、入賞扉１２が閉鎖位置へ変位する。これを１ラウンド（１Ｒ）として所定のラウンド数（例えば、１５Ｒ）が繰り返され、遊技者はこの間に大量の賞球を獲得することができる（図１，２参照）。
【００３５】
そして、入賞装置４の実際の作動としては、ソレノイド２０が通電解除状態（消磁）においては、プランジャ２１が、コイルばね２３の付勢力により、スライド部材４０とともに前方に押し出され、そのスライド部材４０の突起４３が揺動部材５０の案内溝５３に作用して、揺動部材５０が揺動軸５１（揺動軸線Ｏ２）を中心として一方側（図４（ａ）で時計回り）に回転変位する。そして、作用凹部５２（保持部５２ａ）に保持された入賞扉１２の凸部１５に作用して入賞扉１２が回動軸１３（回動軸線Ｏ１）を中心として一方側（図４（ａ）で反時計回り）に回転変位することとなる（閉鎖状態；図４参照）。
【００３６】
続いて、ソレノイド２０が通電状態（励磁）においては、プランジャ２１がコイルばね２３の付勢力に抗して、スライド部材４０とともに後方に後退すると、スライド部材４０の突起４３によって揺動部材５０の案内溝５３に作用して、揺動部材４０が揺動軸５１（揺動軸線Ｏ２）を中心として他方側（図４（ａ）で反時計回り）に回転変位する。そして、作用凹部５２（保持部５２ａ）に保持されていた入賞扉１２の凸部１５の作用が解放されて入賞扉１２が回動軸１３（回動軸線Ｏ１）を中心として他方側（図４（ａ）で時計回り）に回転変位することとなる（開放状態；図５参照）。
【００３７】
ここで、上記作動において、スライド部材４０の突起４３と揺動部材５０の案内溝５３との作動について詳しく説明する。図４（ｃ）に示すように、まず、ソレノイド２０が通電解除状態のとき、コイルばね２３の付勢力により前方に押し出された突起４３（スライド部材４０）は、揺動部材５０を押し下げるように案内溝５３の前方側の前側ガイド面５３ｂを前方に押圧（当接）している。具体的には、突起４３が、前側ガイド面５３ｂに形成された窪みに嵌まり込むように当接している。そして、ソレノイド２０が通電状態になると、突起４３が直線的に後退するので、図６（ａ）に示すように、前側ガイド面５３ｂに形成された窪みから抜け出すとともに、図５（ｃ）に示すように、揺動部材５０を引っ張り上げるように滑らかに湾曲形成された案内溝５３の後方側の後側ガイド面５３ａを後方に押圧（当接）しながら所定距離移動して保持される。その後、ソレノイド２０が再び通電解除状態となると、コイルばね２３の付勢力により、突起４３は前側ガイド面５３ｂを押圧して、揺動部材５０を揺動させながら、窪みに嵌まり込んで保持される。
【００３８】
ここで、図４（ｃ）に戻り、入賞扉１２が閉鎖位置のときに、不正行為により入賞扉１２を閉鎖位置から開放位置に回動させようとする外力が加わると、図６（ｂ）に示すように、入賞扉１２が回動軸１３（回動軸線Ｏ１）を中心として他方側（図６（ａ）で時計回り）に回転変位する。そして、入賞扉１２の凸部１５が揺動部材５０の作用凹部５２に作用して、揺動部材５０が揺動軸５１（揺動軸線Ｏ２）を中心として他方側（図６（ｂ）で反時計回り）に回転変位する。このとき、ソレノイド２０は通電解除状態であるため、スライド部材４０の突起４３は、案内溝５３の前側ガイド面５３ｂの当接（押圧）により、わずかに後退するもののロック面５４が後方に回り込むように突起４３の上側に当接する。したがって、スライド部材４０（突起４３）は、長孔４２及び揺動軸５１などにより上下方向の移動が規制されているので、揺動部材５０は、それ以上回動することができなくなり、それに伴い、入賞扉１２が開放位置に達することなく回動が規制することができる。これにより、遊技球Ｐが入賞口１１を通過することができなくなり、不正に大量の賞球を獲得されるのを防止することができる。
【００３９】
また、ロック面５４が突起４３に当接するとき、突起４３が揺動軸線Ｏ２よりも後方に位置するので、より確実（良好）にロック機構として機能させることができる。そして、入賞扉１２が閉鎖位置のときに、突起４３を揺動軸線Ｏ２よりも前方に配置した場合には、ロック面５４の形状を適宜調整（傾斜）することにより、揺動軸線Ｏ２よりも前方でロックすることも可能となる。
【００４０】
なお、突起４３及びロック面５４との係合位置が、揺動部材５０と入賞扉１２との係合位置よりも揺動軸線Ｏ２（揺動軸５１）からの距離が近いので、大きな力が加わり、効率よくロックがかかるようになる。また、通常時において、ソレノイド２０が作動したときに、突起４３が前側ガイド面５３ｂの窪みからスムーズに抜け出せるように突起４３とロック面５４との間にはクリアランス（遊び）を形成することができ、その場合には、その遊びを調節することにより賞球確認作業を効率的に行なうことも可能である。さらに、ソレノイド２０のプランジャ２１の直線変位の距離を調節することで、前側ガイド面５３ｂの窪みの深さを大きくすることができ、その場合には、より効果的に揺動部材５０の揺動をロックすることができる。
【００４１】
また、本実施形態において、突起４３は断面円形状をなして形成されているが、これに限るものではなく楕円形状や多角形状等で形成してもよく、又はロック面５４と当接する位置で円弧を切り欠く断面Ｄ形状や、その当接する位置を凹凸形状に形成してもよい。その場合には、突起４３がロック面５４と係合し易くなり、より確実にロック機構を機能させることができる。
【００４２】
次に変形例に係る入賞装置について説明する。図７は変形例に係る遊技機用可変入賞装置の主要部を示す斜視図、図８は図７の両側面図及び要部拡大図、図９は図８（ｃ）に対応する作動状態を説明する要部拡大図である。以下の説明では、上述した実施形態と異なる部分について主に述べ、重複する部分については同番号を付して説明を省略又は簡略化する。
【００４３】
図７及び図８に示すように、変形例に係る入賞装置４Ａ（図８（ｃ）参照）は、スライド部材と揺動部材との係合（連係）に際して、上記実施形態における突起及び案内溝が反対に形成されている。すなわち、変形例に係る入賞装置４Ａは、スライド部材４０Ａに切欠状の案内溝４３Ａが形成され、かつ、揺動部材５０Ａに揺動軸線Ｏ２に平行状に突出する突起５３Ａが形成されている。そして、これら突起５３Ａと案内溝４３Ａとが揺動部材５０Ａの揺動軸線Ｏ２よりも上方で連係されている。なお、揺動部材５０Ａの突起５３Ａは、その揺動軸線Ｏ２を中心に回動（揺動）する。
【００４４】
スライド部材４０Ａの案内溝４３Ａは、図８（ｃ）に示すように、前方側に位置し、スライド部材４０Ａが後退するのに伴い突起５３Ａが当接して揺動部材５０Ａを後方に押し上げる前側ガイド面４３ａと、後方側に位置し、スライド部材４０Ａが突出（前進）するのに伴い突起５３Ａに当接して揺動部材５０を前方に押し下げる後側ガイド面４３ｂとを含み構成されている。また、後側ガイド面４３ｂは、案内溝４３Ａの奥側で突起５３Ａの一部を収容するようにアンダーカット状に形成されており、その窪みの上側がロック面４４として構成されている。
【００４５】
ここで、スライド部材４０Ａの案内溝４３Ａと揺動部材５０Ａの突起５３Ａとの作動について詳しく説明する。まず、ソレノイド２０が通電解除状態のとき、図８（ｃ）に示すように、コイルばね２３（図８（ａ），（ｂ）参照）の付勢力により前方に押し出された案内溝４３Ａ（スライド部材４０Ａ）は、揺動部材５０Ａを押し下げるように後方側の後側ガイド面４３ｂで突起５３Ａを前方に押圧（当接）している。具体的には、突起５３Ａが、後側ガイド面４３ｂに形成された窪みに嵌まり込むように当接している。そして、ソレノイド２０が通電状態になると、案内溝４３Ａが直線的に後退するので、突起５３Ａが、後側ガイド面４３ｂに形成された窪みから抜け出すとともに、図９（ａ）に示すように、揺動部材５０Ａを引っ張り上げるために滑らかに湾曲形成された案内溝４３Ａの前方側の前側ガイド面４３ａで後方に押圧（当接）しながら所定距離移動して保持される。その後、ソレノイド２０が再び通電解除状態となると、コイルばね２３の付勢力により、案内溝４３Ａの後側ガイド面４３ｂが突起５３Ａを前方に押圧して、揺動部材５０Ａを揺動させながら、突起５３Ａが窪みに嵌まり込むように保持される。
【００４６】
ここで、図８（ｃ）に戻り、入賞扉１２が閉鎖位置のときに、不正行為により入賞扉１２を閉鎖位置から開放位置に回動させようとする外力が加わると、図９（ｂ）に示すように、入賞扉１２が回動軸１３（回動軸線Ｏ１）を中心として他方側（図９（ｂ）で時計回り）に回転変位する。そして、入賞扉１２の凸部１５が揺動部材５０Ａの作用凹部５２に作用して、揺動部材５０Ａが揺動軸５１（揺動軸線Ｏ２）を中心として他方側（図９（ｂ）で反時計回り）に回転変位する。このとき、ソレノイド２０は通電解除状態であるため、スライド部材４０Ａの案内溝４３Ａは、突起５３Ａの当接（押圧）により、わずかに後退するものの、突起５３Ａが上方に移動してロック面４４に当接する。したがって、スライド部材４０Ａ（案内溝４３Ａ）は、長孔４２及び揺動軸５１などにより上下方向の移動が規制されているので、揺動部材５０Ａは、それ以上回動することができなくなり、それに伴い、入賞扉１２が開放位置に達することなく回動が規制することができる。これにより、遊技球Ｐが入賞口１１を通過することができなくなり、不正に大量の賞球を獲得されるのを防止することができる。
【００４７】
そして、本発明では遊技機の一例としてパチンコ機について説明したが、他に例えばアレンジボール遊技機、雀球遊技機等の装飾装置が設けられる他の遊技機に適用することができる。
【図面の簡単な説明】
【００４８】
【図１】本発明の実施形態に係る遊技機の正面図。
【図２】本発明の実施形態に係る遊技機用可変入賞装置の分解斜視図。
【図３】閉鎖状態における図２の遊技機用可変入賞装置の主要部を示す斜視図。
【図４】図３の両側面図及び要部拡大図。
【図５】図４に対応する開放状態の両側面図及び要部拡大図。
【図６】図４（ｃ）に対応する作動状態を説明する要部拡大図。
【図７】変形例に係る遊技機用可変入賞装置の主要部を示す斜視図。
【図８】図７の両側面図及び要部拡大図。
【図９】図８（ｃ）に対応する作動状態を説明する要部拡大図。
【符号の説明】
【００４９】
１  パチンコ機（遊技機）
２  遊技盤
２ａ  盤面
２ｂ  遊技領域
２ｃ  ガイドレール
３  液晶表示部
４，４Ａ  入賞装置（遊技機用可変入賞装置）
５  電動チューリップ
１０  台板
１１  入賞口
１２  入賞扉
１３  回動軸
１４  延出部
１５  凸部
２０  ソレノイド
２１  プランジャ
２１ａ  フランジ部
２２  コイル
２３  コイルばね
３０  伝動機構
３１  検出スイッチ
３４  上ケース
３４ａ，３４ｂ，３５ａ，３５ｂ  軸支部
３５  下ケース
４０，４０Ａ  スライド部材
４１  連結部
４２  長孔
４３  突起
４３Ａ  案内溝（案内部）
４４  ロック面
５０，５０Ａ  揺動部材
５１  揺動軸
５２  作用凹部
５３  案内溝（案内部）
５３Ａ  突起
５４  ロック面
Ｏ１  回動軸線
Ｏ２  揺動軸線
Ｐ  遊技球
【図１】
0005229941.tif 000002
【図２】
0005229941.tif 000003
【図３】
0005229941.tif 000004
【図４】
0005229941.tif 000005
【図５】
0005229941.tif 000006
【図６】
0005229941.tif 000007
【図７】
0005229941.tif 000008
【図８】
0005229941.tif 000009
【図９】
0005229941.tif 000010